(57)【特許請求の範囲】
【請求項１】
照明装置と前記照明装置が取り付けられる取付口との間に取り付けられる照明装置用アダプタであって、
光を照射する光源と、
前記照明装置が取り付けられる螺旋形状の受口部と、
前記取付口に取り付けられる口金部と、
前記光源から照射された光を入射する一方端面と、前記光の一部を照射する他方端面と、前記光の一部を周囲に照射する表面と、を有する導光部と、
を備え、
前記導光部は、前記受口部の周囲を筒状に覆う、
照明装置用アダプタ。
【請求項２】
請求項１に記載の照明装置用アダプタであって、
前記光源と当接し、少なくとも一部が外部に露出した放熱部と、
を備えた、
照明装置用アダプタ。
【請求項３】
前記光源は、ＬＥＤ光源である、
請求項１又は２に記載の照明装置用アダプタ。
【請求項４】
前記導光部は、前記受口部の少なくとも側面全体を覆う筒状部材であり、
前記光源は、前記導光部の一端側から前記導光部の高さ方向に光を照射する、
請求項１〜３のいずれか１項に記載の照明装置用アダプタ。
【請求項５】
請求項１〜４のいずれか１項に記載の照明装置用アダプタであって、
前記導光部と前記受口部との間に設けられ、前記光源から照射された光を外側方向に反射する反射部と、
を備えた、
照明装置用アダプタ。
【請求項６】
前記受口部と前記口金部とは、形状又は大きさが異なる、
請求項１〜５のいずれか１項に記載の照明装置用アダプタ。
【請求項７】
前記導光部は、内側に複数の拡散ドットを備えている、
請求項１〜６のいずれか１項に記載の照明装置用アダプタ。
【発明の詳細な説明】
【技術分野】
【０００１】
本発明は、照明装置用アダプタに関する。
【背景技術】
【０００２】
従来、一般照明用電球と同様に口金側にも光を照射することができ光源装置が知られている。例えば、特許文献１には、複数の発光ダイオードから照射された光の一部を反射部で反射することにより、ランプの中心付近のみでなく、口金付近にも光を照射することが可能な光源装置が記載されている。
【先行技術文献】
【特許文献】
【０００３】
【特許文献１】特開２００９−２８９６９７号公報
【発明の概要】
【発明が解決しようとする課題】
【０００４】
ところで、一般照明用電球は、一般的に発光ダイオードを用いた照明用電球と比較して寿命が短く、また、フィラメントが切れた等の場合には、その時点で使用することができなくなる。また、一般照明用電球が使用されるのは、暗所や夜間等一般照明用電球が使用できなくなると、影響が大きい場所であることが多い。
【０００５】
例えば、特許文献１に記載の光源装置を使用すると、口金付近にも光を照射することができるが、一般照明用電球が使用不可能となる状況は何ら想定されていないため、一般照明用電球が使用不可能となった場合には、ランプの中心付近も口金付近も、全ての光が失われてしまうという課題がある。
【０００６】
本発明は、このような課題に鑑みなされたものであり、種々の一般照明用電球が取り付け可能であり、一般照明用電球等の光源が失われた場合でも、光の供給が可能な照明装置用アダプタを提供することを主目的とする。
【課題を解決するための手段】
【０００７】
本発明は、上述の目的の少なくとも一つを達成するために以下の手段を採った。
【０００８】
本発明の照明装置用アダプタは、
照明装置と前記照明装置が取り付けられる取付口との間に取り付けられる照明装置用アダプタであって、
光を照射する光源と、
前記照明装置が取り付けられる螺旋形状の受口部と、
前記取付口に取り付けられる口金部と、
前記光源から照射された光を入射する一方端面と、前記光の一部を照射する他方端面と、前記光の一部を周囲に照射する表面と、を有する導光部と、
を備え、
前記導光部は、前記受口部の周囲を筒状に覆う、
照明装置用アダプタ。
を備えたものである。
【０００９】
この照明装置用アダプタは、光源から照射された光が一方端面から入射し、光の一部がそのまま直進して導光部の他方端面側から照射され、一部が拡散されて導光部の表面側及び裏面側から照射される。また、取付口と照明装置との間に照明装置用アダプタが取り付けられることにより、取付口と照明装置との間に照明装置用アダプタの長さ分だけ間隔が生まれる。このため、例えば、照明装置が大きく、取付口付近の空間が狭い為、取付口の照明装置を取り付けできない場合であっても、取付口と照明装置との間に照明装置用アダプタを取り付けることによって、照明装置を取り付けることができ、照明装置用アダプタを用いなければ取り付けることのできなかった取付口にも、照明装置を取り付けることができる。言い換えると、使用可能な照明装置の選択肢を増やすことができる。
【００１０】
本発明の照明装置用アダプタにおいて、前記光源と当接し、少なくとも一部が外部に露出した放熱部を、備えていても良い。こうすれば、光源で発生した熱が放熱部を介して外部に放出することができるため、熱の影響を受けやすい光源を用いた場合であっても、熱の影響を低減することができる。言い換えると、熱により光源が不良を起こす可能性を未然に低減することができるため、安定的に周囲に光を照射することができる。
【００１１】
本発明の照明装置用アダプタにおいて、前記光源は、ＬＥＤ光源であってもよい。ＬＥＤ光源は一般照明装置用電球と比較して一般的に長寿命であるため、照明装置が何らかの理由で発光しない場合でも、ＬＥＤ光源が使用可能な状態である可能性が高いため、長期間安定的に周囲に光を照射することができる。この場合において、ＬＥＤ光源は熱の影響を受けやすいため、放熱部を備えることによる効果が大きい。言い換えると、ＬＥＤ光源を用いた場合、放熱部を備えることにより、ＬＥＤ光源を長期間使用することができる。なお、ＬＥＤとは、Ｌｉｇｈｔ  Ｅｍｉｔｔｉｎｇ  Ｄｉｏｄｅを意味する。
【００１２】
本発明の照明装置用アダプタにおいて、前記導光部は、前記受口部の少なくとも側面全体を覆う筒状部材であり、前記光源は、前記導光部の一端側から前記導光部の高さ方向に光を照射してもよい。こうすれば、筒状の導光部の一端側から導光部に照射された光が、受口部の側面全体を覆う筒状の導光部によって拡散されるため、受口部の側面全体に光を照射することができる。言い換えると、照明装置用アダプタの周囲全体に光を照射することができきる。また、導光部が受口部の側面に位置しているため、全体の大きさをより小さくすることができる。なお、ここで受口部の側面とは、受口部の面のうち筒状の導光部の内側曲面と当接する面を意味する。
【００１３】
本発明の照明装置用アダプタは、前記光源から照射された光を外側方向に反射する反射部と、を備えていても良い。光源から導光部に照射された光は、導光部によって受口部方向と照明装置用アダプタの外側方向とに拡散されることになるが、導光部と受口部との間には反射部が設けられているため、受口部方向に拡散された光は反射部によって反射され、照明装置用アダプタの外側方向に導光されることになる。このため、反射部を有しない場合と比較して、照明装置用アダプタの外側方向に照射される光の光量を増加させることができる。
【００１４】
本発明の照明装置用アダプタにおいて、前記受口部と前記口金部とは、形状又は大きさが異なっていてもよい。こうすれば、照明装置の口金の形状又は大きさと取付口の形状又は大きさとが異なる場合であっても、取付口と照明装置との間に照明装置用アダプタを取り付けることにより、照明装置を取り付けることができる。言い換えると、照明装置用アダプタの周囲に光を照射しつつ、使用可能な照明装置の選択肢を増やすことができる。
【００１５】
本発明の照明装置用アダプタにおいて、前記導光部は、内側に複数の拡散ドットを備えていてもよい。こうすれば、導光部に拡散ドットを有しない場合と比較して、より光を拡散することができる。
【図面の簡単な説明】
【００１６】
【図１】図１は、アダプタ２０の構成の概略を示す斜視図である。
【図２】図２は、アダプタ２０を中心で切断した断面図である。
【図３】図３は、アダプタ２０に白熱電球１００を取り付けて使用した状態の一例を示す側面図である。
【図４】図４は、アダプタ２０にＬＥＤ電球１１０を取り付けて使用した状態の一例を示す側面図である。
【発明を実施するための形態】
【００１７】
ここで、上記簡単に説明した図面に基づいて、本発明を実施するための形態を説明するにあたり、本実施の形態の構成要素と本発明の構成要素との対応関係を明らかにする。本実施の形態のアダプタ２０が本発明の照明装置用アダプタに相当し、白熱電球１００及びＬＥＤ電球１１０が照明装置に相当し、取付口１２が取付口に相当し、ＬＥＤ３４が光源に相当し、受口部２４が受口部に相当し、口金２２が口金部に相当し、導光部２６が導光部に相当し、放熱部３２が放熱部に相当し、反射板３０が反射部材に相当し、拡散ドット２８が拡散ドットに相当する。なお、アダプタ２０の使用方法の一例を明らかにすることにより、本発明の照明装置用アダプタの使用方法の一例も明らかにしている。
【００１８】
次に、図１を用いて、本発明の実施の形態の一例であるアダプタ２０の構成を詳しく説明する。このアダプタ２０は、一端側に白熱電球１００を取り付け可能な受口部２４が、他端側に取付口１２に取り付け可能な口金２２が、受口部２４と口金２２との間には放熱部３２が、それぞれ設けられている（図３参照）。この取付口１２に口金２２を螺合し、受口部２４に白熱電球１００を螺合することにより、アダプタ２０及び白熱電球１００を通電可能な状態で取り付けることができる。こうすることにより、一般的な照明装置を使用する場合と同様に使用することができる。
【００１９】
口金２２は、表面側に螺旋状の溝を有する金属性の部材であり、取付口１２（例えば、ＪＩＳ規格で定められたＥ２６口が取り付け可能な取付口）に螺合することができる。口金２２を取付口１２に螺合すると、アダプタ２０に通電し、アダプタ２０に電力が供給されると同時に、白熱電球１００に電力を供給可能な状態となる。
【００２０】
受口部２４は、内側方向に螺旋状の溝を有する金属製の部材であり、図２に示すように、周囲には反射板３０を挟んで導光部２６が備えられている。この受口部２４は、例えば、ＪＩＳ規格で定められたＥ２６口の口金と螺合可能であり、受口部２４に白熱電球１００の口金が螺合されると、アダプタ２０より白熱電球１００に電力が供給される。
【００２１】
導光部２６は、図１に示すように、受口部２４の周囲を筒状に覆う樹脂製の部材であり、裏面側には複数の拡散ドット２８が設けられている（図２参照）。また、図２に示すように、導光部２６の端面側に複数のＬＥＤ３４が配置されており、ＬＥＤ３４から導光部２６に光が照射される。このとき、導光部２６の一方端面側から入射した光は、一部がそのまま直進して導光部２６の他方端面側から照射され、一部が拡散ドット２８によって拡散されて導光部２６の表面側及び裏面側に光が導光される。こうすることにより、照射範囲の狭いＬＥＤ３４を光源として利用した場合であっても、アダプタ２０の表面側方向に光を拡散して照射することができる。言い換えると、導光部２６を有しない場合と比較して、より少ない数のＬＥＤ３４で側面方向を明るくすることができる。なお、ここで、導光部２６の外部に露出している方向を表面側と呼び、表面側と反対側を裏面側と呼ぶ。
【００２２】
拡散ドット２８は、図２に示すように、内側方向から略四角錐形状に凹む凹部であり、四角錐の底面に相当する位置が導光部２６の内側に位置するように設けられている。この拡散ドット２８は、格子状に規則的に設けられているため、不規則に設けられている場合と比較して、乱雑な美観を与える可能性を未然に低減することができる。言い換えると、拡散ドット２８が不規則に備えられている場合と比較して、優れた美観を演出することができる。なお、図中の拡散ドット２８は、説明のため実際よりも大きく描いている。
【００２３】
反射板３０は、導光部２６の裏面側であって、受口部２４と導光部２６との間に設けられている。ＬＥＤ３４から導光部２６に照射された光の一部は、拡散ドット２８によって裏面側と表面側とに拡散されることになるが、反射面を表面側方向に向けて反射板３０が設けられているため、裏面側に拡散された光は反射板３０によって反射され、表面側に導光されることになる。このため、反射板３０を有しない場合と比較して、より表面側を明るくすることができる。
【００２４】
放熱部３２は、図１に示すように、導光部２６と口金２２との間の位置に設けられた金属製の部材であり、導光部２６と放熱部３２との間にＬＥＤ３４及びＬＥＤ基板３６が設けられている。図２に示すように、この放熱部３２はＬＥＤ基板３６と当接しているため、使用によりＬＥＤ基板３６が発熱した場合には、ＬＥＤ基板３６から放熱部３２に熱が伝導し、ＬＥＤ基板３６で発生した熱を放熱部３２に逃すことができる。このとき、放熱部３２は外部に露出しているため、ＬＥＤ基板３６から伝導した熱を外気に放出することができる。こうすることにより、放熱部３２を有しない場合と比較して、より多くの熱をアダプタ２０の外部に放出することができる。言い換えると、熱によってＬＥＤ基板３６に不具合が生じる可能性を未然に低減することができる。
【００２５】
ＬＥＤ３４は、白色光を発する発光ダイオードであり、ＬＥＤ基板３６及び図示しない導線や電子回路等を介して、口金２２と電気的に接続されている。このため、口金２２が取付口１２に螺合されると、ＬＥＤ３４に電力が供給され、ＬＥＤ３４が発光する。このＬＥＤ基板３６は、同一円周上に複数配置されており、この位置は、受口部２４の周囲を筒状に覆う導光部２６の端面と対向する位置でもある。このため、ＬＥＤ基板３６の導光部２６側に取り付けられたＬＥＤ３４が発光すると、導光部２６の一方端面側から導光部２６内に光が入射し、一部がそのまま直進して導光部２６の他方端面側から照射され、一部が拡散ドット２８によって拡散されて導光部２６の表面側及び裏面側に光が導光される。また、ＬＥＤ３４は、ＬＥＤ基板３６の導光部２６側に取り付けられているため、使用によりＬＥＤ３４が発熱した場合には、ＬＥＤ基板３６を介してＬＥＤ３４から放熱部３２に熱が伝導し、ＬＥＤ３４で発生した熱を放熱部３２に逃すことができる。こうすることにより、熱によってＬＥＤ３４に不具合が生じる可能性を未然に低減し、ＬＥＤ３４を長期間使用することができる。加えて、ＬＥＤ３４は一般的な照明装置（例えば、白熱電球等）よりも長期間使えるため、アダプタ２０に取り付けられた白熱電球１００が何らかの理由で点灯しない場合であっても、ＬＥＤ３４の光により、周囲を明るくすることができる。
【００２６】
次に、こうして構成された本実施の形態のアダプタ２０に白熱電球１００を使用して天井に取り付ける場合の使用方法の一例について、図３を用いて説明する。ここで図３は、アダプタ２０に白熱電球１００を取り付けて使用した状態の一例を示す側面図であり、天井に設けられた取付口１２に白熱電球１００及びアダプタ２０を取り付けた状態を示している。口金２２を取付口１２に螺合すると、図示しない電源よりアダプタ２０に電力が供給され、ＬＥＤ３４及び白熱電球１００に電力が供給されることになる。このとき、ＬＥＤ３４から照射された光が導光部２６の一方端面側から導光部２６内に入射すると、一部がそのまま直進して導光部２６の他方端面側から室内に照射され、一部が拡散ドット２８によって導光部２６の側面方向に拡散された後に白熱電球１００から照射された光と共にアダプタ２０の上方側を半球状に覆う反射面１４によって反射され、室内に光が照射される。
【００２７】
しかしながら、白熱電球１００をアダプタ２０に取り付けた場合には、寿命等によりフィラメントが切れた場合等、白熱電球１００が点灯しない場合が考えられる。このような場合であっても、一般的に白熱電球よりもＬＥＤ光源は寿命が長いため、ＬＥＤ３４が点灯する。このとき、ＬＥＤ３４から照射された光が導光部２６の一方端面側から導光部２６内に入射すると、一部がそのまま直進して導光部２６の他方端面側から室内に照射され、一部が拡散ドット２８によって導光部２６の側面方向に拡散された後にアダプタ２０の上方側を半球状に覆う反射面１４によって反射され、室内に光が照射される。このため、白熱電球１００が壊れた場合等の不慮の事態であっても、光源を確保することができる。
【００２８】
次に、こうして構成された本実施の形態のアダプタ２０にＬＥＤ電球１１０を使用して天井に取り付ける場合の使用方法の一例について、図４を用いて説明する。ここで図４は、アダプタ２０にＬＥＤ電球１１０を取り付けて使用した状態の一例を示す側面図である。ＬＥＤ電球１１０を使用した場合には、白熱電球１００を使用した場合と比較してＬＥＤ電球１１０は長寿命であるため、ＬＥＤ電球１１０が壊れて光源が消失するリスクを低減することができる。しかしながら、ＬＥＤ電球１１０を長期間使うためには、ＬＥＤによって発生する熱を放出する放熱部が必要となるため、ＬＥＤ電球１１０の基部には外部に露出した放熱部が必要となる。加えて、ＬＥＤによって照射される光は直進性が高いため、ＬＥＤ電球１１０が照射する方向が明るくなり、その周囲は比較的暗くなることになる。このため、特に放熱部付近には光がほとんど照射されなくなるため、全体として暗い印象を与える可能性がある。
【００２９】
しかしながら、アダプタ２０に公知のＬＥＤ電球１１０を螺合した場合には、ＬＥＤ３４から照射された光の一部が拡散ドット２８によって導光部２６の側面方向に拡散され、ＬＥＤ電球１１０のみの場合には、比較的暗くなってしまうＬＥＤ電球１１０の口金付近にも光を供給することができる。こうすることにより、アダプタ２０の側面方向に照射された光がアダプタ２０の上方側を半球状に覆う反射面１４によって反射さるため、白熱電球１００を使用した場合と同様に、天井から室内に光を照射することができる。また、ＬＥＤ電球１１０が何らかの理由により点灯しない場合も、白熱電球１００が何らかの理由により点灯しない場合と同様、光源を確保することができる。
【００３０】
以上詳述した本実施の形態のアダプタ２０によれば、導光部２６の端面に当接して設けられたＬＥＤ３４から導光部２６に光が照射され、拡散ドット２８によって周囲に拡散される。こうすることにより、受口部２４に取り付けられたＬＥＤ電球１１０が何らかの理由で点灯しなかった場合でも、光量を確保することができる。また、取付口１２とＬＥＤ電球１１０との間にアダプタ２０が取り付けられることにより、取付口１２とＬＥＤ電球１００の口金部との間にアダプタ２０の長さ分だけ間隔が生まれる。こうすることにより、ＬＥＤ電球１１０の上面とアダプタ２０の上方側を半球状に覆う反射面１４との距離を離すことができるため、ＬＥＤ電球１１０の上部がアダプタ２０の上方側を覆う反射面に入りきらない大きさであっても、使用することができる。言い換えると、使用できる照明装置の選択肢を増やすことができる。
【００３１】
また、ＬＥＤ３４は、一部が外部に露出した金属製の放熱部３２と当接しているため、ＬＥＤ３４を使用した際に発生した熱が放熱部３２に伝導し、ＬＥＤ３４が高温になる可能性を未然に低減することができる。言い換えると、発生した熱によりＬＥＤ３４が動作不良を起こす可能性を未然に低減することができるため、ＬＥＤ３４を長期間使用することができる。
【００３２】
更に、光源としてＬＥＤ３４を用いているため、例えば、白熱電球等を使用する場合と比較して、より長期間光を照射することができる。
【００３３】
更にまた、受口部２４の周囲を筒状に覆う導光部２６に対して、ＬＥＤ３４が口金２２側の端部側から導光部２６の高さ方向に光を照射しているため、光が導光部２６内を進む距離が長くなり、多くの拡散ドット２８を通過することになる。このとき、それぞれの拡散ドット２８で光が拡散されることになるため、光源にＬＥＤ３４を用いた場合であっても、広範囲に光を照射することができる。また、導光部２６が受口部２４の周りを覆う位置に位置しているため、全体の大きさをより小さくすることができる。
【００３４】
そして、受口部２４と導光部２６との間には反射板３０が備えられているため、導光部２６で裏面方向に拡散された光を表面方向に反射することができる。したがって、反射板３０が有しない場合と比較して、より明るくできる。
【００３５】
そして更に、導光部２６の裏面側には複数の拡散ドット２８が備えられているため、拡散ドット２８を有しない場合と比較して、導光部２６に照射された光をより多く拡散することができる。また、この拡散ドット２８は裏面側に備えられているため、表面側に備えられている場合に生じる表面の凹凸が存在しない。このため、拡散ドット２８が表面側に備えられている場合と比較して、より美観に優れる。
【００３６】
なお、本発明は上述した実施形態に何ら限定されることはなく、本発明の技術的範囲に属する限り種々の態様で実施し得ることはいうまでもない。
【００３７】
例えば、上述した実施の形態では、反射板３０を備えるものとしたが、反射板３０は無くても良い。この場合も、周囲を明るくすることができる。
【００３８】
上述した実施の形態では、口金２２はＪＩＳ規格で定められたＥ２６口が取り付け可能な取付口１２に取り付け可能であり、受口部２４はＪＩＳ規格で定められたＥ２６口の口金と螺合可能であるものとしたが、口金２２及び受口部２４の形状はこれに限定されるものではなく、形状又は大きさが異なるもの、例えば、取付口１２の形状又は大きさと受口部２４の形状又は大きさが異なるものであっても良い。こうすればアダプタ２０が変換コネクタの役割を果たし、アダプタ２０が無ければ取り付けることができない形状の取付口１２に対しても、白熱電球１００又はＬＥＤ電球１１０を取り付けることができる。
【００３９】
上述した実施の形態では、拡散ドット２８を裏面側に備えるものとしたが、表面側に備えていても良いし、裏面側と表面側の両面に備えられていても良い。いずれの場合も、周囲を明るくすることができる。
【００４０】
上述した実施の形態では、導光部２６と口金２２との間の位置に放熱部３２を設けるものとしたが、放熱部３２と口金２２、放熱部３２と受口部２４とは、それぞれ連接されていても良い。こうすれば、ＬＥＤ３４から放熱部３２に伝導した熱が口金２２や受口部２４の少なくとも一方に更に伝導するため、ＬＥＤ３４への冷却効果が増大し、ＬＥＤ３４が熱により動作不良を起こす可能性をより低減することができる。
【００４１】
上述した実施の形態では、ＬＥＤ３４が口金２２の方向から導光部２６と当接するものとしたが、口金２２とＬＥＤ３４とは当接せず、口金２２とＬＥＤ３４との間に空間があっても良い。この場合も、上述した実施の形態と同様の効果が得られる。
【００４２】
上述した実施の形態では、ＬＥＤ３４がＬＥＤ基板３６の導光部２６側に取り付けられているものとしたが、ＬＥＤ３４の少なくとも一面が放熱部３２に当接していても良い。こうすれば、ＬＥＤ３４で発生した熱が直接放熱部３２に伝達されるため、ＬＥＤ３４と放熱部３２とが当接していない場合と比較して、よりＬＥＤ３４の冷却効率を高めることができる。また、ＬＥＤ３４の位置は導光部２６の受口部２４側にあってもよいし、導光部２６の裏面側にあってもよいし、導光部２６に当接していても良い。いずれの場合も、上述した実施の形態と同様の効果が得られる。
【００４３】
上述した実施の形態では、放熱部３２の外面は平坦な面としたが、外面に凹凸を設ける等により、外面の表面積を大きくしても良い。こうすれば、放熱部３２の外面と外気とが接する面積が増えるため、外面が平坦な面と比較して、より放熱部３２による放熱効果を向上させることができる。
【産業上の利用可能性】
【００４４】
上述した実施の形態で示すように、照明分野、特に照明装置用アダプタとして利用することができる。
【符号の説明】
【００４５】
１２…取付口、１４…反射面、２０…アダプタ、２２…口金、２４…受口部、２６…導光部、２８…拡散ドット、３０…反射板、３２…放熱部、３４…ＬＥＤ、３６…ＬＥＤ基板、１００…白熱電球、１１０…ＬＥＤ電球。
【図１】
0005714430.tif 000002
【図２】
0005714430.tif 000003
【図３】
0005714430.tif 000004
【図４】
0005714430.tif 000005